(57)【要約】【課題】意識的に原稿の周囲に影を発生させることで、原稿の輪郭が強調された画像を出力する。【解決手段】略矩形状の被読取媒体が所定の状態で載置される原稿台を介して被読取媒体に光を照射する光源を有するキャリッジが原稿台の読取開始地点から読取終了地点に向かう副走査方向に走査することにより画像を読み取る画像読取装置であって、キャリッジが副走査方向に走査することにより、被読取媒体の互いに隣接する第１の二辺にキャリッジの読取開始地点側に設けられた光源が照射する光により得られる第１の二辺の影画像と第１の二辺の各々に隣接する第２の二辺にキャリッジの読取終了地点側に設けられた光源が照射する光により得られる第２の二辺の影画像と、を抽出し、当該抽出された第１の二辺の影画像と第２の二辺の影画像とを合成し、被読取媒体の輪郭画像を生成する。【選択図】図３
2017169198.tif 000002
【特許請求の範囲】
【請求項１】
略矩形状の被読取媒体が所定の状態で載置される原稿台を介して前記被読取媒体に光を照射する光源を有するキャリッジが前記原稿台の読取開始地点から読取終了地点に向かう副走査方向に走査することにより画像を読み取る画像読取装置であって、
前記キャリッジが前記副走査方向に走査することにより、前記被読取媒体の互いに隣接する第１の二辺に前記キャリッジの読取開始地点側に設けられた光源が照射する光により得られる前記第１の二辺の影画像と前記第１の二辺の各々に隣接する第２の二辺に前記キャリッジの読取終了地点側に設けられた光源が照射する光により得られる前記第２の二辺の影画像と、を抽出する画像抽出手段と、
前記画像抽出手段により抽出された前記第１の二辺の影画像と前記第２の二辺の影画像とを合成し、前記被読取媒体の輪郭画像を生成する画像合成手段と、
を含むことを特徴とする画像読取装置。
【請求項２】
前記キャリッジは、
前記読取開始地点から読取終了地点に向かう副走査方向に走査することにより前記画像を読み取り、再び前記読取開始地点に移動してから前記副走査方向に走査することにより前記画像を読み取るものであり、
前記画像抽出手段は、
前記キャリッジが前記副走査方向に走査することにより前記キャリッジの前記読取開始地点側に設けられた光源が照射する光により得られる前記第１の二辺の影画像を抽出し、前記キャリッジが再び前記読取開始地点に移動してから前記副走査方向に走査することにより前記キャリッジの前記読取終了地点側に設けられた光源が照射する光により得られる前記第２の二辺の影画像を抽出することを特徴とする請求項１に記載の画像読取装置。
【請求項３】
前記キャリッジは、
前記読取開始地点から読取終了地点に向かう副走査方向に走査することにより前記画像を読み取った後に前記読取終了地点から前記読取開始地点に向かう反副走査方向に走査することにより前記画像を読み取るものであり、
前記画像抽出手段は、
前記キャリッジが前記副走査方向に走査することにより前記キャリッジの前記読取開始地点側に設けられた光源が照射する光により得られる前記第１の二辺の影画像を抽出し、前記キャリッジが前記反副走査方向に走査することにより前記キャリッジの前記読取終了地点側に設けられた光源が照射する光により得られる前記第２の二辺の影画像を抽出することを特徴とする請求項１に記載の画像読取装置。
【請求項４】
前記画像抽出手段は、
前記画像を構成する各ラインを前記キャリッジが走査する度毎に、前記読取開始地点側に設けられた光源が照射することにより得られる前記第１の二辺の影画像と前記読取終了地点側に設けられた光源が照射することにより得られる前記第２の二辺の影画像とを抽出することを特徴とする請求項１に記載の画像読取装置。
【請求項５】
前記被読取媒体の輪郭画像が予め定められた形状と異なるとき、前記被読取媒体が前記所定の状態で載置されていないことを通知する手段をさらに含むことを特徴とする請求項１から４の何れか１項に記載の画像読取装置。
【請求項６】
前記画像合成手段は、
前記第１の二辺の影画像を含む前記被読取媒体の画像と、前記第２の二辺の影画像を含む前記被読取媒体の所定領域の画像とを合成することにより、又は前記第２の二辺の影画像を含む前記被読取媒体の画像と、前記第１の二辺の影画像を含む前記被読取媒体の所定領域の画像とを合成することにより、前記被読取媒体の輪郭画像を生成することを特徴とする請求項１から５の何れか１項に記載の画像読取装置。
【請求項７】
前記所定の状態は、
前記被読取媒体の各辺が前記副走査方向と直交せず、かつ、前記副走査方向と平行とならないよう前記原稿台に載置される状態であることを特徴とする請求項１から６の何れか１項に記載の画像読取装置。
【請求項８】
前記被読取媒体の輪郭画像を、前記被読取媒体の各辺と前記副走査方向との間のなす所定の角度に基づいて補正する手段をさらに含むことを特徴とする請求項１から７の何れか１項に記載の画像読取装置。
【請求項９】
前記輪郭画像に、前記第１の二辺の影画像及び前記第２の二辺の影画像が含まれるか否かを判定する影画像判定手段と、
前記輪郭画像に前記第１の二辺の影画像及び前記第２の二辺の影画像が含まれない場合において、前記副走査方向と直交する主走査方向における、前記光源を点灯させる点灯領域を制限する点灯領域制御部と、を有し、
前記画像合成手段は、
前記点灯領域が制限された状態で読み取った画像と、前記輪郭画像と、を合成する請求項１から８の何れか１項に記載の画像読取装置。
【請求項１０】
前記点灯領域制御部は、
前記第１の二辺の影画像のうち副走査方向に対応する影画像と、前記第２の二辺の影画像のうち副走査方向に対応する影画像と、に基づき、前記原稿台において前記被読取媒体が載置された領域を検出し、
前記領域を前記点灯領域とする、請求項９記載の画像読取装置。
【請求項１１】
前記キャリッジは、
前記読取開始地点から読取終了地点に向かう副走査方向に走査することにより前記画像を読み取り、再び前記読取開始地点に移動してから前記副走査方向に走査することにより前記画像を読み取るものであり、
前記点灯領域が制限された状態においても、前記読取開始地点から読取終了地点に向かう副走査方向に走査して前記画像を読み取る、請求項９又は１０記載の画像読取装置。
【請求項１２】
前記キャリッジは、
前記読取開始地点から読取終了地点に向かう副走査方向に走査することにより前記画像を読み取った後に前記読取終了地点から前記読取開始地点に向かう反副走査方向に走査することにより前記画像を読み取り、
前記反副走査方向に走査した後に、前記点灯領域が制限される、請求項９又は１０記載の画像読取装置。
【請求項１３】
前記点灯領域は、前記光源を消灯させるタイミングの制御によって、大きさが調整される、請求項９から１２の何れか１項に記載の画像読取装置。
【請求項１４】
前記点灯領域が制限された状態における前記画像の読み取りの直前に、シェーディング補正を行う、請求項９から１３の何れか１項に記載の画像読取装置。
【請求項１５】
前記点灯領域が制限された状態で読み取られた画像において、前記主走査方向に生じた影画像から前記読取開始地点／前記読取終了地点に向かう領域を白くする補正を行う、請求項９から１３の何れか１項に記載の画像読取装置。
【請求項１６】
前記輪郭画像から、前記略矩形状の角を検出し、前記輪郭画像における影画像を消去して、前記影画像と対応する画像を描画する、請求項９から１４の何れか１項に記載の画像読取装置。
【請求項１７】
前記原稿台において前記被読取媒体が載置された領域の大きさが、予め設定された原稿サイズと一致するか否かを判定し、その結果を出力する、請求項１０から１６の何れか１項に記載の画像読取装置。
【請求項１８】
略矩形状の被読取媒体が所定の状態で載置される原稿台を介して前記被読取媒体に光を照射する光源を有するキャリッジが前記原稿台の読取開始地点から読取終了地点に向かう副走査方向に走査することにより画像を読み取る画像読取装置の画像読取方法であって、
前記キャリッジが前記副走査方向に走査することにより、前記被読取媒体の互いに隣接する第１の二辺に前記キャリッジの読取開始地点側に設けられた光源が照射する光により得られる前記第１の二辺の影画像と前記第１の二辺の各々に隣接する第２の二辺に前記キャリッジの読取終了地点側に設けられた光源が照射する光により得られる前記第２の二辺の影画像と、を抽出する画像抽出工程と、
前記画像抽出工程により抽出された前記第１の二辺の影画像と前記第２の二辺の影画像とを合成し、前記被読取媒体の輪郭画像を生成する画像合成工程と、を含むことを特徴とする画像読取方法。
【請求項１９】
略矩形状の被読取媒体が所定の状態で載置される原稿台を介して前記被読取媒体に光を照射する光源を有するキャリッジが前記原稿台の読取開始地点から読取終了地点に向かう副走査方向に走査することにより画像を読み取る画像読取装置に実行させるためのプログラムであって、
前記キャリッジが前記副走査方向に走査することにより、前記被読取媒体の互いに隣接する第１の二辺に前記キャリッジの読取開始地点側に設けられた光源が照射する光により得られる前記第１の二辺の影画像と前記第１の二辺の各々に隣接する第２の二辺に前記キャリッジの読取終了地点側に設けられた光源が照射する光により得られる前記第２の二辺の影画像と、を抽出する処理と、
前記抽出する処理により抽出された前記第１の二辺の影画像と前記第２の二辺の影画像とを合成し、前記被読取媒体の輪郭画像を生成する処理と、を実行させるためのプログラム。
【発明の詳細な説明】
【技術分野】
【０００１】
本発明は、画像読取装置、画像読取方法、及びプログラムに関する。
【背景技術】
【０００２】
画像処理装置の一種である画像読取装置（以下、「スキャナ装置」ともいう。）は、記録媒体の一例である用紙の表面に描かれた２次元形状の文字や図形を読み取り、その読み取った画像データを出力先である記録媒体の一例である用紙に転写するものであり、また、読み取られた画像データを電子記録媒体に保存する技術は一般的に知られている。
【０００３】
ここで、ある原稿が画像読取装置で読み取られたときに転写される画像データの一例について説明する。図１５は、ある原稿が画像読取装置で読み取られたときに転写される画像データの一例について説明する図である。
【０００４】
ある原稿８０３が画像読取装置で読み取られたときに転写される画像データとして、図１５（ａ）に示すように、原稿８０３の輪郭がはっきり形成されない場合と、図１５（ｂ）に示すように、原稿８０３の輪郭８０３０がはっきりと形成される場合とがある。
【０００５】
特許文献１には、原稿の輪郭を検知することを目的として、原稿の表裏を読み取る２つのラインセンサにおいて発生した影画像の情報を合わせることにより原稿の輪郭を検知する画像読取装置に関する技術が開示されている。
【発明の概要】
【発明が解決しようとする課題】
【０００６】
しかしながら、特に、海外における入国審査において必要とされるパスポート、免許証、健康保険被保険者証等といった公文書（身分証明書）を画像読取装置で読み取る際に、図１５（ａ）に示すように、原稿（パスポート、免許証、健康保険被保険者証）８０３の輪郭８０３０がはっきり写っていないと、偽造された公文書（身分証明書）ではないかとの疑念を抱かれるおそれがある。
【０００７】
そして、従来の画像読取装置（スキャナ装置）は、原稿８０３の輪郭８０３０部分を強調して転写するという手段を有していないため、転写された画像データに対し、ユーザが後から輪郭を追記する等といった別加工を行わなければならないという問題があった。
【０００８】
また、特許文献１に記載された技術は、２つのラインセンサで発生した影画像を利用することにより、原稿の先端と後端とを検知し、それに基づいて原稿の周囲全体の輪郭を推測することとしているが、原稿の周囲全体の輪郭を明確に検知することができないという問題がある。
【０００９】
そこで、本発明は、上記従来技術の問題点に鑑みてなされたものであって、意識的に原稿の周囲に影を発生させることにより、原稿の輪郭が強調された画像を出力することが可能な画像読取装置を提供することを目的とする。
【課題を解決するための手段】
【００１０】
上記課題を解決するため、本発明における画像読取装置は、略矩形状の被読取媒体が所定の状態で載置される原稿台を介して前記被読取媒体に光を照射する光源を有するキャリッジが前記原稿台の読取開始地点から読取終了地点に向かう副走査方向に走査することにより画像を読み取る画像読取装置であって、前記キャリッジが前記副走査方向に走査することにより、前記被読取媒体の互いに隣接する第１の二辺に前記キャリッジの読取開始地点側に設けられた光源が照射する光により得られる前記第１の二辺の影画像と前記第１の二辺の各々に隣接する第２の二辺に前記キャリッジの読取終了地点側に設けられた光源が照射する光により得られる前記第２の二辺の影画像と、を抽出する画像抽出手段と、前記画像抽出手段により抽出された前記第１の二辺の影画像と前記第２の二辺の影画像とを合成し、前記被読取媒体の輪郭画像を生成する画像合成手段と、を含むことを特徴とする。
【発明の効果】
【００１１】
本発明によれば、意識的に原稿の周囲に影を発生させることにより、原稿の輪郭が強調された画像を出力することが可能な画像読取装置を得ることができる。
【図面の簡単な説明】
【００１２】
【図１】第一の実施形態に係る画像読取装置の概略構成を例示する図である。
【図２】第一の実施形態に係る画像読取装置のハードウェアブロック図の一例である。
【図３】第一の実施形態に係る画像読取装置の機能ブロック図の一例である。
【図４】第一の実施形態に係る画像読取装置を用いて原稿の輪郭が強調された画像を出力する動作について説明するフロー図である。
【図５】第一の実施形態に係る画像読取装置において影画像が発生する原理について説明する要部拡大図である。
【図６】第一の実施形態に係る画像読取装置を用いて取得した画像データのうち、（ａ）光源１のみ点灯した場合の画像データを示す図、（ｂ）光源２のみ点灯した場合の画像データを示す図、（ｃ）（ａ）と（ｂ）とに基づいて画像データに差のある箇所（影画像）を原稿の輪郭として検出した画像データを示す図である。
【図７】第一の実施形態に係る画像読取装置を用いて取得した画像データのうち、（ａ）光源１のみ点灯した場合の画像データを示す図、（ｂ）光源２のみ点灯した場合の画像データを示す図、（ｃ）（ａ）に（ｂ）の影画像のある部分を含む一定幅の領域の画像データを上書きして得られた画像データを示す図である。
【図８】第一の実施形態に係る画像読取装置を用いて画像を読み取る際に原稿を正確に載置しなかった場合の、（ａ）光源１のみ点灯した場合の画像データ、（ｂ）光源２のみ点灯した場合の画像データについて説明する図である。
【図９】第一の実施形態に係る画像読取装置を用いて取得した画像データのうち、（ａ）光源１のみ点灯した場合の画像データを画素単位で表示させたもの、（ｂ）光源２のみ点灯した場合の画像データを画素単位で表示させたもの、（ｃ）（ａ）と（ｂ）とに基づいて、画素毎に低い（濃度の高い）画像データを出力したものについて説明する図である。
【図１０】第二の実施形態における影画像の発生のさせ方について説明する図である。
【図１１】第二の実施形態に係る画像読取装置の機能ブロック図の一例である。
【図１２】第二の実施形態に係る画像読取装置を用いて原稿の輪郭が強調された画像を出力する動作について説明するフロー図である。
【図１３】第二の実施形態における原稿の輪郭の強調について説明する図である。
【図１４】第二の実施形態における原稿の輪郭の強調について説明する図である。
【図１５】ある原稿が画像読取装置で読み取られたときに転写される画像データの一例について説明する図である。
【発明を実施するための形態】
【００１３】
（第一の実施形態）
次に、本発明を実施するための第一の実施形態について図面を参照して詳細に説明する。なお、各図中、同一又は相当する部分には同一の符号を付しており、その重複説明は適宜に簡略化乃至省略する。以下、本発明について説明するが、本発明は、以下に説明する実施形態に限定されるものではない。
【００１４】
本発明は、略矩形状の被読取媒体の一例である用紙の画像を読み取る画像読取装置に関するものである。すなわち、用紙が所定の状態で載置される原稿台を介して当該用紙に光を照射する光源を有するキャリッジが、用紙の読取開始地点から読取終了地点に向かう副走査方向に走査することにより、用紙の画像を読み取る。
【００１５】
そして、キャリッジが副走査方向に走査することにより、被読取媒体の互いに隣接する第１の二辺にキャリッジの読取開始地点側に設けられた光源が照射する光により得られる第１の二辺の影画像が抽出される。また、キャリッジが副走査方向に走査することにより、第１の二辺の各々に隣接する第２の二辺にキャリッジの読取終了地点側に設けられた光源が照射する光により得られる第２の二辺の影画像が抽出される。
【００１６】
さらに、当該抽出された第１の二辺の影画像と第２の二辺の影画像とを合成し、被読取媒体の輪郭画像を生成することとしている。これにより、意識的に原稿の周囲に影を発生させることにより、原稿の輪郭が強調された画像を出力することができるのである。この本発明の特徴について、以下図面を用いて詳細に解説する。
【００１７】
まず、本実施形態に係る画像読取装置の概略構成について説明する。図１は、第一の実施形態に係る画像読取装置の概略構成を例示する図である。
【００１８】
図１に示すように、画像読取装置１０は、第一キャリッジ３００、第二キャリッジ３５０、レンズ１１、ＣＣＤ（Charge-Coupled Device）センサ１２を有する。また、画像読取装置１０は、ホームポジションセンサ１３、原稿が載置される圧板ガラス３０２、基準白板１４等を有する。
【００１９】
第一キャリッジ３００は、圧板ガラス３０２の上に載置される原稿に光を照射する光源３１０、光源３２０と、原稿からの反射光を導くミラーとを含んで構成されている。第一キャリッジ３００は、所定のポジションの間を図中矢印方向（副走査方向）に走査可能に設けられており、走査しながら原稿に光源３１０、光源３２０の光を照射する。
【００２０】
第二キャリッジ３５０は、第一キャリッジ３００のミラーに導かれる原稿からの反射光をレンズ１１に導くミラーを含んで構成されている。第二キャリッジ３５０は、第一キャリッジ３００と同方向に移動可能に設けられており、第一キャリッジ３００と連動して移動し、原稿からの反射光をレンズ１１に導く。
【００２１】
レンズ１１は、第二キャリッジ３５０から入射される反射光を受光して、ＣＣＤセンサ１２に結像させる。ＣＣＤセンサ１２は、レンズ１１によってその受光面に結像された光画像の明暗を検出し、電荷量に光電変換して画像データを生成する。なお、原稿からの反射光を画像データに変換する手段として、ＣＣＤセンサ１２に代えて、例えばＣＭＯＳ（Complementary Metal Oxide Semiconductor）センサ等を用いることもできる。
【００２２】
ホームポジションセンサ１３は、第一キャリッジ３００、第二キャリッジ３５０が所定のポジションにあるか否かを検知するセンサであり、第一キャリッジ３００が移動する図中矢印方向（副走査方向）の一方の側に設けられている。なお、ホームポジションセンサ１３は、第一キャリッジ３００及び第二キャリッジ３５０の移動方向の反対側に設けても良く、第二キャリッジ３５０が所定のポジションにあるか否かを検知するように構成しても良い。
【００２３】
圧板ガラス３０２は、原稿が載置されるガラス板であり、圧板ガラス３０２を介して第一キャリッジ３００の光源３１０、光源３２０からの光が原稿に照射される。
【００２４】
基準白板１４は、圧板ガラス３０２の端部に設けられ、原稿画像の読み取り時に、その反射光に基づいて画像データのシェーディング補正が行われる。
【００２５】
画像読取装置１０を用いたブック読み取りでは、スキャナ装置１０内の第一キャリッジ３００、第二キャリッジ３５０が、図中矢印方向（副走査方向）に走査することにより、圧板ガラス３０２上の原稿の情報を読み取る。第一キャリッジ３００と第二キャリッジ３５０とは連動しており、各キャリッジがどの位置にあっても光軸がずれないような構造になっている。スタンバイ状態では、第一キャリッジ３００、第二キャリッジ３５０は、ホームポジションにおいて待機している。本実施形態においては、光源３１０、光源３２０の２灯の照明系が使用されており、光軸Ｌに対し副走査方向の前後に離間して配置されている。
【００２６】
次に、本実施形態に係る画像読取装置のハードウェアブロック図の一例について説明する。図２は、第一の実施形態に係る画像読取装置のハードウェアブロック図の一例である。
【００２７】
図２おいて、本実施形態に係る画像読取装置の一例であるスキャナ装置１０は、ハードウェア構成として、スキャナ装置１０の全体の動作を制御するＣＰＵ（Central Processing Unit）（制御部）１０１を備えている。また、各種データや各種プログラムを記憶するＲＯＭ（Read Only Memory）１０２やＲＡＭ（Random Access Memory）１０３等の主記憶部を備えている。さらに、画像を読み取るスキャン部１０４を備えている。
【００２８】
また、外部の他の装置と接続するための入出力インタフェース１０５を備えている。さらに、操作者が操作して情報を入力すると共に、スキャナ装置１０の状態及びアプリケーションプログラムを実行した結果等を表示する操作・表示部１０６を備えている。なお、操作・表示部１０６は、操作・表示部１０６がタッチパネル構成である場合には、ユーザインタフェースにもなるものである。また、スキャン部１０４で読み取られた画像データを記憶する記憶部１０７を備えている。
【００２９】
そして、ＣＰＵ１０１、ＲＯＭ１０２、ＲＡＭ１０３、スキャン部１０４、入出力インタフェース１０５、操作・表示部１０６、及び記憶部１０７は、バス１０９によって接続されている。また、画像読取装置１０における各種処理は、ＣＰＵ１０１が、ＲＯＭ１０２、及びＲＡＭ１０３に記憶されている各種プログラムを実行することにより実現されるものである。
【００３０】
次に、本実施形態に係る画像読取装置の機能ブロック図の一例について説明する。図３は、第一の実施形態に係る画像読取装置の機能ブロック図の一例である。
【００３１】
図３において、本実施形態に係る画像読取装置の一例であるスキャナ装置１０は、キャリッジ位置制御部２０２と、光源制御部２０３と、から構成される。また、スキャナ装置１０は、スキャン制御部２０４と、画像抽出部２０５と、画像合成部２０６と、画像補正部２０７とから構成される。そして、スキャナ装置１０は、これ等の各部を制御する全体制御部２０１から構成される。そして、全体制御部２０１、キャリッジ位置制御部２０２、光源制御部２０３、スキャン制御部２０４、画像抽出部２０５、画像合成部２０６、及び画像補正部２０７は、バス２０８によって接続されている。
【００３２】
キャリッジ位置制御部２０２は、第一キャリッジ３００、第二キャリッジ３５０の位置を制御するものである。キャリッジ位置制御部２０２は、スキャン動作を実行すると、第一キャリッジ３００、第二キャリッジ３５０の位置を、ホームポジションセンサ１３によって検知される所定のポジションから、図１に示す矢印方向（副走査方向）に移動させるものである。光源制御部２０３は、光源３１０、光源３２０の点灯消灯を制御するものである。
【００３３】
スキャン制御部２０４は、図２のスキャン部１０４の動作を制御するものである。画像抽出部２０５は、後述するように、読み取られた画像データから原稿の輪郭部分の画像を抽出するものである。画像合成部２０６は、光源３１０が点灯することにより読み取られた原稿の輪郭部分の画像データと、光源３２０が点灯することにより読み取られた原稿の輪郭部分の画像データとを合成するものである。画像補正部２０７は、圧板ガラス３０２に載置された原稿の各辺が、副走査方向と直交せず、かつ、副走査方向と平行とならないように傾けて載置された場合の原稿の各辺と副走査方向との間のなす角度を補正するものである。
【００３４】
次に、本実施形態に係る画像読取装置を用いて原稿の輪郭が強調された画像を出力する動作について説明する。図４は、第一の実施形態に係る画像読取装置を用いて原稿の輪郭が強調された画像を出力する動作について説明するフロー図である。
【００３５】
本実施形態においては、例えば、輪郭を検知するモード（輪郭を強調して転写するモード）が、用紙の表面に描かれた２次元形状の文字や図形を読み取って転写する通常のモードとは別に設けられていることが特徴となっている。
【００３６】
本実施形態に係る画像読取装置の一例であるスキャナ装置１０は、操作者（ユーザ）による、操作・表示部１０６を用いた、輪郭を検知するモードの選択を受け付ける（ステップＳ４０１）。続いて、スキャナ装置１０は、原稿が載置されと、操作者による、操作・表示部１０６を用いた、輪郭を強調して転写するモードの選択を受け付け、読み取りジョブを開始する（ステップＳ４０２）。
【００３７】
なお、このとき、原稿は、輪郭を強調して転写したい原稿の各辺が、副走査方向と直交せず、かつ、副走査方向と平行とならないように斜め方向になるように傾けて載置されるものとする。
【００３８】
次に、スキャナ装置１０は、まず、光源制御部２０３が光源３１０を点灯させることによりスキャン制御部２０４が原稿の画像データを読み取る（ステップＳ４０３）。続いて、スキャナ装置１０は、光源制御部２０３が光源３２０を点灯させることによりスキャン制御部２０４が原稿の画像データを読み取る（ステップＳ４０４）。
【００３９】
続いて、スキャナ装置１０は、画像抽出部２０５により、光源３１０を点灯させることにより読み取られた画像データと、光源３２０を点灯させることにより読み取られた画像データとに基づいて、原稿の輪郭を検知する（ステップＳ４０５）。すなわち、スキャナ装置１０は、光源３１０を点灯させることにより読み取られた画像データと、光源３２０を点灯させることにより読み取られた画像データとの差分を抽出することにより得られた箇所（画像データ）が、原稿の輪郭を示す画像データであると判断する。
【００４０】
続いて、スキャナ装置１０は、画像合成部２０６により、光源３１０を点灯させることにより読み取られた画像データと、光源３２０を点灯させることにより読み取られた画像データとを合成することにより、輪郭が強調された画像データを生成する（ステップＳ４０６）。続いて、スキャナ装置１０は、画像補正部２０７により、ステップＳ４０５の処理で得られた輪郭の位置情報に基づいて、圧板ガラス３０２に載置された原稿の各辺と副走査方向との間のなす角度を補正する（ステップＳ４０７）。この角度は、副走査方向と直交せず、かつ、副走査方向と平行とならないように傾けて載置された原稿の各辺と副走査方向との間のなす角度である。続いて、スキャナ装置１０は、輪郭が強調され、かつ、角度補正された原稿の画像データを外部に出力する、又は記憶部１０７に記憶する（ステップＳ４０８）。
【００４１】
次に、本実施形態に係る画像読取装置において影画像が発生する原理について説明する。図５は、第一の実施形態に係る画像読取装置において影画像が発生する原理について説明する要部拡大図である。
【００４２】
本実施形態においては、図４において説明したように、光源３１０と光源３２０とをそれぞれ単体で点灯させることにより２つの画像データを取得する。図５において、副走査方向（図１の双方向矢印）のうち、矢印Ｃの方向を副走査方向における後端側、矢印Ｃの逆方向を副走査方向における先端側と定義する。
【００４３】
まず、光源３１０を点灯させて画像データを読み取る場合、副走査方向の後端側には、図５に示すように光源３１０のみが点灯することにより影画像が発生する。この影画像を読み取ることにより、輪郭が強調された画像データの一部を得ることができる。
【００４４】
次に、光源３２０を点灯させて画像データを読み取る場合、副走査方向の先端側には、光源３２０のみが点灯することにより影画像が発生する。この影画像を読み取ることにより、輪郭が強調された画像データの一部を得ることができる。
【００４５】
次に、本実施形態に係る画像読取装置を用いて取得した画像データのうち、光源３１０のみ点灯した場合の画像データ、及び光源３２０のみ点灯した場合の画像データについて説明する。また、光源３１０のみ点灯した場合の画像データと光源３２０のみ点灯した場合の画像データとに基づいて画像データに差のある箇所（影画像）を原稿の輪郭として検出した画像データについて説明する。図６は、第一の実施形態に係る画像読取装置を用いて取得した画像データのうち、（ａ）光源３１０のみ点灯した場合の画像データを示す図、（ｂ）光源３２０のみ点灯した場合の画像データを示す図である。また、図６（ｃ）は、（ａ）と（ｂ）とに基づいて画像データに差のある箇所（影画像）を原稿の輪郭として検出した画像データを示す図である。
【００４６】
図６（ａ）は、光源３１０のみを点灯させた場合に画像抽出部２０５によって抽出される画像データである。図６（ｂ）は、光源３２０のみを点灯させた場合に画像抽出部２０５によって抽出される画像データである。図６（ａ）の副走査方向の後端側には影画像３０３１が生成されており、図６（ｂ）の副走査方向の先端側には影画像３０３２が生成されている。
【００４７】
図６（ａ）と図６（ｂ）とを比較すると、原稿３０３及び背景の画像データに差は存在しないが、影画像３０３１、３０３２の部分だけが相違する画像データとなっている。図６（ｃ）において、画像合成部２０６は、この相違する部分を原稿全体の輪郭３０３０が強調された画像データとして出力する。
【００４８】
次に、本実施形態に係る画像読取装置を用いて取得した画像データのうち、光源３１０のみ点灯した場合の画像データ、光源３２０のみ点灯した場合の画像データについて説明する。また、光源３１０のみ点灯した場合の画像データに、光源３２０のみ点灯した場合の画像データの原稿影のある部分を含む一定幅の領域の画像データを上書きして得られた画像データについて説明する。図７は、第一の実施形態に係る画像読取装置を用いて取得した画像データのうち、（ａ）光源３１０のみ点灯した場合の画像データを示す図、（ｂ）光源３２０のみ点灯した場合の画像データを示す図である。また、図７（ｃ）は、（ａ）に（ｂ）の影画像のある部分を含む一定幅の領域の画像データを上書きして得られた画像データを示す図である。
【００４９】
図７（ａ）は、光源３１０のみを点灯させた場合に画像抽出部２０５によって抽出される画像データである。図７（ｂ）は、光源３２０のみを点灯させた場合に画像抽出部２０５によって抽出される画像データである。図７（ａ）の副走査方向の後端側には影画像３０３１が生成されており、図７（ｂ）の副走査方向の先端側には影画像３０３２が生成されている。
【００５０】
そして、図７（ｃ）において、光源３２０のみを点灯させた場合に画像抽出部２０５によって抽出される画像データ（図７（ｂ））のうち、影画像３０３２が存在する部分を含む一定幅の領域Ｐを切り取る。なお、切り取る領域Ｐは、図４のステップＳ４０５の処理において判断された影画像のある輪郭部である。そして、画像合成部２０６は、この切り取った領域Ｐを、光源３１０のみを点灯させた場合に画像抽出部２０５によって抽出される画像データ（図７（ａ））に上書きする。これにより、図７（ｃ）において、画像合成部２０６は、原稿全体の輪郭３０３０が強調された画像データとして出力する。
【００５１】
その後、画像補正部２０７は、輪郭３０３０の検知結果に基づいて、圧板ガラス３０２に載置された原稿３０３の各辺と副走査方向との間のなす角度を補正して出力する。この角度は、副走査方向と直交せず、かつ、副走査方向と平行とならないように傾けて載置された原稿３０３の各辺と副走査方向との間のなす角度である。なお、傾きを補正する方法については、公知の傾き補正ための技術を用いることができるため、詳細な説明は省略する。
【００５２】
次に、本実施形態に係る画像読取装置を用いて画像を読み取る際に原稿を正確に載置しなかった場合の、光源３１０のみ点灯した場合の画像データ、光源３２０のみ点灯した場合の画像データについて説明する。図８は、第一の実施形態に係る画像読取装置を用いて画像を読み取る際に原稿を正確に載置しなかった場合の、（ａ）光源３１０のみ点灯した場合の画像データ、（ｂ）光源３２０のみ点灯した場合の画像データについて説明する図である。
【００５３】
本実施形態では、圧板ガラス３０２の載置面に載置された原稿３０３の各辺が、副走査方向と直交せず、かつ、副走査方向と平行とならないように傾けて載置することを前提としている。そして、影画像は、図５において説明したように、副走査方向の先端側又は後端側に発生する。よって、図８に示すように、圧板ガラス３０２の載置面に、原稿３０３の各辺が副走査方向と直交するように又は副走査方向と平行となるように載置すると、原稿影が発生しない箇所が現れてしまう。
【００５４】
この場合、図８（ａ）、（ｂ）に示すように、光源３１０、光源３２０の何れの光源を点灯させた場合であっても、原稿３０３の副走査方向と平行な各辺（図８（ａ）（ｂ）の点線領域）において影画像が発生しない。すなわち、画像抽出部２０５は、光源３１０のみが点灯した場合の画像データと光源３２０のみが点灯した場合の画像データとの間に差異がないため、輪郭３０３０を検知し強調して出力することができない。
【００５５】
次に、本実施形態に係る画像読取装置を用いて取得した画像データのうち、光源３１０のみ点灯した場合の画像データを画素単位で表示させたもの、光源３２０のみ点灯した場合の画像データを画素単位で表示させたものについて説明する。また、光源３１０のみ点灯した場合の画像データを画素単位で表示させたものと光源３２０のみ点灯した場合の画像データを画素単位で表示させたものとに基づいて、画素毎に低い（濃度の高い）画像データを出力したものについて説明する。
【００５６】
図９は、第一の実施形態に係る画像読取装置を用いて取得した画像データのうち、（ａ）光源３１０のみ点灯した場合の画像データを画素単位で表示させたもの、（ｂ）光源３２０のみ点灯した場合の画像データを画素単位で表示させたもの、について説明する図である。また、図９（ｃ）は、図９（ａ）と図９（ｂ）とに基づいて、画素毎に低い（濃度の高い）画像データを出力したものについて説明する図である。
【００５７】
上述した図７においては、片方の輪郭を切り取り、他方に上書きする方法により、原稿全体の輪郭３０３０を強調して出力を得る方法について説明した。図９においては、これらと異なる方法を用いることにより同様の効果が得られる。まず、光源３１０のみ点灯した場合の画像データを画素単位で表示させたもの（図９（ａ））や、光源３２０のみ点灯した場合の画像データを画素単位で表示させたもの（図９（ｂ））に関しては、上記説明したとおりである。なお、図９では、説明の都合上、画像を画素単位で表示させると共に、原稿３０３の傾きは省略している。
【００５８】
図９（ｃ）では、光源３１０のみ点灯した場合の画像データを画素単位で表示させたもの（図９（ａ））と光源３２０のみ点灯した場合の画像データを画素単位で表示させたもの（図９（ｂ））に対して、画素毎に、画素値の低い方の出力を選択している。そうすると、原稿の輪郭３０３０においては、影画像３０３１、３０３２のある箇所が優先して選択されることになるため、図９（ｃ）の出力は、輪郭３０３０が強調されることになる。
【００５９】
なお、図９の例では、画素毎に、値が低い画像データを選択するものとしたが、閾値を用いる方法もある。閾値を用いる方法では、画像毎の画素値の差異が閾値より小さいものは、予め設定した元画像（図９（ａ）に示す画像又は図９（ｂ）に示す画像）の画素値を選択し、差異が閾値より大きいものは、図９（ａ）に示す画像と図９（ｂ）に示す画像のうち、画素値の低い方の出力を選択する。
【００６０】
なお、輪郭３０３０以外の部分については、光源３１０のみ点灯した場合の画像データを画素単位で表示させたもの（図９（ａ））と光源３２０のみ点灯した場合の画像データを画素単位で表示させたもの（図９（ｂ））との間で差がない。したがって、何れを選択しても良い。要するに、図９（ｃ）の画像データに影響はない。この方法によれば、画素毎の出力を比較するだけなので、輪郭３０３０を検知する必要がないという利点がある。
【００６１】
以上説明してきたように、本実施形態では、圧板ガラス３０２の載置面（原稿面）に原稿を載置するにあたり、原稿３０３の各辺が、圧板ガラス３０２の載置面に副走査方向と直交せず、かつ、副走査方向と平行とならないよう原稿台に載置することとしている。また、独立して点灯可能な２個の光源を片方ずつ点灯させ、１枚の原稿に対して２枚の画像を取得する。
【００６２】
そして、この２枚の画像を比較し、差異のある部分が原稿３０３の輪郭３０３０であると判断し、差異のある部分を合成することにより原稿３０３の輪郭３０３０が強調された画像データを生成している。さらに、原稿の傾きを、検知した輪郭３０３０の角度から補正して出力することとしている。これにより、意識的に原稿の周囲に影を発生させることにより、原稿の輪郭が強調された画像を出力することが可能になる。
【００６３】
また、このとき、２枚の画像の一方の画像において原稿３０３の輪郭３０３０であると判断された輪郭３０３０周辺の画像を、他方の画像に上書きすることにより原稿３０３の輪郭３０３０が強調された画像データを生成するようにしても良い。これにより、原稿の輪郭が強調された画像を出力することができる。また、輪郭周辺の領域を切り取り／上書きするので、画像全体を処理することなく画像の一部領域の処理で済むため、処理負荷が軽減されるという利点がある。
【００６４】
さらに、２枚の画像の画素毎に低い画像データを選択して出力することにより、輪郭が強調された画像を出力することができると共に、輪郭を検出する必要がなくなる。また、逆に、２枚の画像の画素毎に高い画像データを選択して出力することにより、影が消去された画像を出力することができる。
【００６５】
さらに、本実施形態では、画素毎の画素値の差分が、所定の閾値より大きい場合に、画素値が低い画像データを選択して出力する。このため、本実施形態では、画素値の差が大きい輪郭部分のみを強調することができ、画素値の差が小さい部分については、無用に画像が暗くなることを回避できる。
【００６６】
また、原稿３０３の輪郭３０３０であると判断した輪郭３０３０の位置情報から、光源３１０（又は光源３２０）を点灯することにより取得された１枚（片方）の画像の影画像が発生していない部分に、指定した色で輪郭を描き込むようにしても良い。これにより、輪郭が強調された画像を出力することができると共に、検知された輪郭部分に線を描き込む処理であるので画像を合成する必要がなくなる。
【００６７】
さらに、上記実施形態では、光源３１０を点灯して第一キャリッジ３００を副走査方向の後端方向（図１の右矢印方向）に走査するタイミングで１枚目の画像データを取得する。その後、リターン動作で第一キャリッジ３００を基準位置（ホームポジション）に戻す。次に、光源３２０を点灯して第一キャリッジ３００を副走査方向の後端方向（図１の右矢印方向）に走査するタイミングで２枚目の画像データを取得する。これにより、２枚の画像データを取得することができ、スキャナ装置１０の通常のブック読み取りにおける動作と同様に、読み取り、キャリッジ戻り、読み取り、という動作を繰り返すので処理を単純に構成することができる。
【００６８】
一般的に、キャリッジの副走査方向の後端方向への走査による読み取りの後、副走査方向の先端方向（反副走査方向）への走査による読み取りを行う場合、何れかの画像データに対してミラーリング処理を行う必要がある。本実施形態では、副走査方向の後端方向への操作で読み取られる画像データと副走査方向の先端方向への走査で読み取られる画像データとは点対称の関係にあり、原稿３０３の輪郭３０３０を形成するものであるから、ミラーリング処理を行う必要はない。
【００６９】
本実施形態の場合、光源３１０を点灯して第一キャリッジ３００を副走査方向の後端方向に走査するタイミングで１枚目の画像データを取得する。そして、光源３２０を点灯して第一キャリッジ３００を副走査方向の先端方向（反副走査方向）に走査するタイミングで２枚目の画像データを取得する。これにより、キャリッジの一往復の走査により２枚の画像データを取得することができる。
【００７０】
また、画像データを構成する各ラインを第一キャリッジ３００が走査する度毎に、光源３１０の点灯、及び光源３２０の点灯を切り換えることにより、２枚の画像データを取得するようにしても良い。この場合、第一キャリッジ３００の移動、光源３１０点灯、光源３２０点灯、第一キャリッジ３００移動、光源３１０点灯、光源３２０点灯、・・・、を繰り返す。これにより、一度の走査で２枚の画像データを取得することができる。
【００７１】
さらに、本実施形態では、２枚の画像を比較することにより検知された相違する部分が、予め想定された形状と異なる場合、原稿３０３が指定した状態で載置されていないことを操作者に通知するようにしても良い。すなわち、原稿３０３の各辺を圧板ガラス３０２の載置面に副走査方向と直交するように又は副走査方向と平行となるように載置すると、原稿３０３の副走査方向と平行な各辺において影画像が発生しない。
【００７２】
この場合、２枚の画像の差異は矩形の互いに隣接する二辺からなる画像ではなく互いに平行な二本線からなる画像となるため、輪郭を強調することができなくなる。したがって、原稿３０３の各辺が、圧板ガラス３０２の載置面に副走査方向と直交せず、かつ、副走査方向と平行とならないよう原稿台に載置し直すよう操作者に通知するようにしても良い。
【００７３】
なお、図４に示した本実施形態に係る画像読取装置の動作フローは、コンピュータ上のプログラムに実行させることもできる。すなわち、スキャナ装置１０において、画像読取を制御するＣＰＵ１０１が、ＲＯＭ１０２等の不揮発性メモリ等に格納されたプログラムをロードする。そして、プログラムの各処理ステップが順次実行されることによって行われる。
【００７４】
このように、本実施形態における画像読取装置は、パスポート、免許証、健康保険被保険者証等といった矩形状の原稿を読み取る際、原稿を圧板ガラスの載置面に斜めに載置し、２つの光源のうち片方ずつを点灯させることにより２枚の画像を取得する。そうすると、各々の画像には原稿の略半分に影画像が形成されており、これ等を合成すると原稿全体に輪郭画像が形成された画像を出力することができる。このように、本実施形態では、原稿の周囲全体を直接検知することとしているため、輪郭画像を取得する精度が従来技術と比較して向上している。
【００７５】
本発明によれば、原稿の周囲に影を意図的に発生させることで、原稿の輪郭を強調した画像を出力することが可能な画像読取装置、画像読取方法、及びプログラムが得られる。
【００７６】
（第二の実施形態）
以下に、図面を参照して第二の実施形態について説明する。第二の実施形態では、原稿３０３の各辺が、圧板ガラス３０２の載置面に副走査方向と直交せず、かつ、副走査方向と平行とならないように載置されない場合でも、原稿の輪郭を強調した画像を出力させる点が、第一の実施形態と相違する。よって、以下の第二の実施形態では、第一の実施形態との相違点についてのみ説明し、第一の実施形態と同様の機能構成を有するものには、第一の実施形態の説明で用いた符号を付与し、その説明を省略する。
【００７７】
本実施形態では、原稿３０３の各辺が、圧板ガラス３０２の載置面に副走査方向と直交せず、かつ、副走査方向と平行とならないように載置された場合、光源３１０、３２０の主走査方向における点灯領域を制限することで、原稿３０３の各辺に影画像を発生させる。
【００７８】
より具体的には、本実施形態では、主走査方向において、光源３１０、３２０を消灯させる領域を設け、原稿が置かれた領域の中に点灯領域を設けることで、第一の実施形態と同様の原理により、主走査方向にも影画像を発生させる。
【００７９】
図１０は、第二の実施形態における影画像の発生のさせ方について説明する図である。図１０（ａ）は、光源３１０、３２０の点灯領域の変更を説明する図である。図１０（ｂ）は、点灯領域を変化させることで発生する影画像の例を示す図である。
【００８０】
原稿３０３が圧板ガラス３０２の載置面に斜めに載置されていない状態において、光源３１０と光源３２０のそれぞれを片方ずつ点灯させた場合、それぞれの場合において読み取られた２つの画像データを合成した画像データは、図１０（ａ）に示す画像データのように、原稿３０３の左右に、影画像３１３、３１４が生じる。
【００８１】
以下の説明では、光源３１０のみを点灯させて原稿３０３を読み取った画像データを第一画像データと呼び、光源３２０のみを点灯させて原稿３０３を読み取った画像データを第二画像データと呼ぶ。また、以下の説明では、第一画像データと第二画像データとを構成した画像を輪郭画像データと呼ぶ。
【００８２】
本実施形態では、輪郭画像データが、図１０（ａ）に示す画像データのような状態である場合に、光源３１０、３２０の主走査方向の点灯領域を制限した状態で、再度原稿３０３の読み取りを行う。具体的には、本実施形態では、影画像３１３、３１４の内側の領域Ｓを点灯領域として、再度原稿３０３の読み取りを行う。
【００８３】
本実施形態では、このように光源３１０、３２０の点灯領域を制御して原稿３０３を読み取れば、図５に示す原理と同様の原理により、図１０（ｂ）に示す画像データのように、原稿３０３の主走査方向において、影画像３１５、３１６を発生させることができる。
【００８４】
以下に、図１１を参照して、本実施形態のスキャナ装置１０Ａについて説明する。図１１は、第二の実施形態に係る画像読取装置の機能ブロック図の一例である。
【００８５】
本実施形態の画像読取装置の一例であるスキャナ装置１０Ａは、第一の実施形態のスキャナ装置１０の有する各部に加え、影画像判定部２０９、点灯領域制御部２１０を有する。
【００８６】
本実施形態の影画像判定部２０９は、画像合成部２０６により生成された輪郭画像データに基づき、原稿３０３の四辺に影画像が生じているか否かを判定する。言い換えれば、影画像判定部２０９は、輪郭画像データが、図１０（ａ）に示す輪郭画像データのように、原稿３０３の副走査方向のみ影画像が生じている状態であるか否かを判定する。
【００８７】
本実施形態の点灯領域制御部２１０は、影画像判定部２０９により、輪郭画像データに、副走査方向のみに影画像が存在する、と判定された場合、影画像の内側を点灯領域とするように、光源制御部２０３へ通知する。
【００８８】
以下に、図１２を参照して、本実施形態のスキャナ装置１０Ａの動作を説明する。図１２は、第二の実施形態に係る画像読取装置を用いて原稿の輪郭が強調された画像を出力する動作について説明するフロー図である。
【００８９】
図１２のステップＳ１２０１からステップＳ１２０６までの処理は、図４のステップＳ４０１からステップＳ４０６までの処理と同様であるから、説明を省略する。
【００９０】
ステップＳ１２０６において、画像合成部２０６が輪郭画像データを生成すると、スキャナ装置１０Ａは、影画像判定部２０９により、輪郭画像データにおいて、原稿３０３の四辺の影画像が発生しているか否かを判定する（ステップＳ１２０７）。
【００９１】
ステップＳ１２０７において、四辺に影画像が生じている場合、スキャナ装置１０Ａは、後述するステップＳ１２１０へ進む。
【００９２】
ステップＳ１２０７において、四辺に影画像が生じていない場合、スキャナ装置１０Ａは、点灯領域制御部２１０により、光源３１０、３２０の点灯領域を制限し、再度原稿３０３の読み取りを行う（ステップＳ１２０８）。
【００９３】
具体的には、点灯領域制御部２１０は、輪郭画像データにおける副走査方向の影画像の長さから、原稿３０３の副走査方向の幅を検出する。また、点灯領域制御部２１０は、輪郭画像データにおける副走査方向の影画像同士の距離から、原稿３０３の主走査方向の幅を検出する。そして、点灯領域制御部２１０は、輪郭画像データにおいて、検出された主走査方向の幅と副走査方向の幅により決められる領域を、点灯領域とする。言い換えれば、点灯領域制御部２１０は、原稿３０３が置かれている領域を点灯領域とする。
【００９４】
続いて、スキャナ装置１０Ａは、輪郭画像データと、ステップＳ１２０８で読み取った画像データとを、画像合成部２０６により合成し（ステップＳ１２０９）、後述する１２１１へ進む。なお、ステップＳ１２０８において読み取られた画像とは、図１０（ｂ）に示す画像データのように、原稿の主走査方向に影画像が生じている画像データである。
【００９５】
図１２のステップＳ１２１０とステップＳ１２１１の処理は、図４のステップＳ４０７とステップＳ４０８の処理と同様であるから、説明を省略する。
【００９６】
このように、本実施形態によれば、原稿３０３の各辺が、圧板ガラス３０２の載置面に副走査方向と直交せず、かつ、副走査方向と平行とならないように載置されない場合でも、原稿の輪郭を強調した画像を出力させることができる。
【００９７】
なお、本実施形態では、光源３１０、３２０のそれぞれを片方ずつ点灯させて行う読み取りと、灯領域を制限した後の読み取りの全てを、第一キャリッジ３００、第二キャリッジ３５０がホームポジションから遠ざかる方向に移動する際に行っても良い。このように画像データの読み取りを行うことで、読み取り、キャリッジ戻り、読み取り、という動作を繰り返すので処理を単純に構成することができる。
【００９８】
また、本実施形態では、光源３１０、３２０のうち、何れか一方を点灯させて行う読み取りは、第一キャリッジ３００、第二キャリッジ３５０がホームポジションへ向かう方向において行われても良い。この場合、キャリッジ戻りの期間においても、画像データを読み取ることができるため、ジョブを完了させるまでの時間を短縮できる。
【００９９】
次に、本実施形態における原稿の輪郭の強調について説明する。図１３は、第二の実施形態における原稿の輪郭の強調について説明する図である。
【０１００】
本実施形態では、輪郭画像データに副走査方向の影画像のみが存在すると判定されると、図１３に示すように、原稿３０３が置かれた領域を点灯領域とする。したがって、本実施形態では、主走査方向の影画像３１５、３１６が生じる領域３１７、３１８では、光源３１０、３２０が消灯されることになり、光源３１０、３２０から照射される光量が低下する。
【０１０１】
このため、影画像３１５、３１６は、影画像３１３、３１４と比較して薄い影となる可能性がある。
【０１０２】
そこで、本実施形態では、点灯領域を制限した状態で、シェーディング補正や、影画像３１５、３１６よりも外側の領域３１７、３１８影を画像処理で白く塗りつぶす補正等を行っても良い。本実施形態では、これらの補正により、主走査方向の影画像３１５、３１６を明瞭にすることができる。
【０１０３】
なお、以下に、シェーディング補正について説明する。通常、原稿をスキャンする際は、白板（主走査方向の読取領域全体が白出力の板）を読取り、その後に原稿を読取る。この際に、原稿の１ラインにおける各画素の出力に対する、画素毎に同じ位置の白板の出力との比を、スキャナの出力とする処理をシェーディング補正という。
【０１０４】
本実施形態では、このシェーディング補正により、光源３１０、３２０の主走査方向の照度ムラを補正する（均一にする）等の効果がある。
【０１０５】
本実施形態では、点灯領域を制限した状態で、原稿の１ラインにおける各画素の出力に対する、画素毎に同じ位置の白板の出力との比を、スキャナの出力とする。本実施形態では、このように、点灯領域が制限した状態でシェーディング補正を行うことで、光源３１０、３２０が消灯している領域３１７、３１８におけるシェーディング補正後の出力が低下する現象を抑制できる。なお、シェーディング補正自体は既知の技術である。
【０１０６】
また、本実施形態では、主走査方向の影画像３１５、３１６の大きさを調整することができる。図１４は、第二の実施形態における主走査方向の影画像の大きさの調整を説明する図である。
【０１０７】
本実施形態では、光源３１０、３２０が、主走査方向における原稿３０３の端部から離れるにつれて、影画像３１５、３１６が大きくなる。
【０１０８】
図１４に示すパターン１とパターン２は、光源３１０、３２０の点灯／消灯の制御パターンを示している。
【０１０９】
パターン１は、光源３１０、３２０が、主走査方向における原稿３０３の端部に到達する所定期間前に消灯させるパターンである。パターン２は、光源３１０、３２０が、主走査方向における原稿３０３の端部に到達する直前に消灯させるパターンである。
【０１１０】
また、図１４に示す幅Ｈ１は、パターン１で光源３１０、３２０を消灯させた場合の影画像の幅を示しており、幅Ｈ２は、パターン２で光源３１０、３２０消灯させた場合の影画像の幅を示している。図１４に示すように、本実施形態では、幅Ｈ１は、幅Ｈ２より広くなる。
【０１１１】
本実施形態では、この原理を用いて、光源３１０、３２０を消灯させるタイミングを制御することで、主走査方向の影画像３１５、３１６の大きさを任意に調整することができる。
【０１１２】
また、本実施形態では、例えば、点灯領域制御部２１０により原稿３０３が置かれた領域が検出された後に、輪郭画像データから、副走査方向の影画像３１３、３１４の画像を消去し、画像処理により影画像３１３、３１４に相当する画像を描画しても良い。このように、一度検出された影画像を画像処理で描画するようにすれば、影画像の幅を任意の幅とすることができ、輪郭を強調しやすくなる。
【０１１３】
また、本実施形態では、輪郭画像データから原稿３０３が置かれた領域の大きさが検出された後に、原稿３０３の大きさが、予め設定された原稿サイズと一致しているか否かを判定し、一致していない場合に、ユーザにその旨を通知しても良い。
【０１１４】
このようにすれば、例えば、原稿をコピーした際の転写紙の設定と原稿３０３の大きさが異なる場合等に、ユーザに通知することができる。
【０１１５】
また、本実施形態では、例えば、主走査方向における影画像が発生しなかった場合等には、その旨をユーザに通知しても良い。
【０１１６】
以上、これまで本発明の実施形態について説明してきたが、本発明の実施形態は上述し
た実施形態に限定されるものではない。すなわち、他の実施形態、追加、変更、削除等、
当業者が想到することができる範囲内で変更することができ、何れの態様においても本発
明の作用効果を奏する限り、本発明の範囲に含まれるものである。
【符号の説明】
【０１１７】
１０、１０Ａ    画像読取装置（スキャナ装置）
１１    レンズ
１２    ＣＣＤセンサ
１３    ホームポジションセンサ
１４    基準白板
１５    ＤＦ読取窓
１０１    ＣＰＵ
１０２    ＲＯＭ
１０３    ＲＡＭ
１０４    スキャン部
１０５    入出力インタフェース
１０６    操作・表示部
１０７    記憶部
１０９、２０８    バス
２０１    全体制御部
２０２    キャリッジ位置制御部
２０３    光源制御部
２０４    スキャン制御部
２０５    画像抽出部
２０６    画像合成部
２０７    画像補正部
２０９    影画像判定部
２１０    点灯領域制御部
３００    第一キャリッジ
３０２    圧板ガラス
３１０    光源１
３２０    光源２
３５０    第二キャリッジ
３０３０    輪郭
３０３１、３０３２    影画像
【先行技術文献】
【特許文献】
【０１１８】
【特許文献１】特開２０１０−１５３９７５号公報
【図１】
2017169198.tif 000003
【図２】
2017169198.tif 000004
【図３】
2017169198.tif 000005
【図４】
2017169198.tif 000006
【図５】
2017169198.tif 000007
【図６】
2017169198.tif 000008
【図７】
2017169198.tif 000009
【図８】
2017169198.tif 000010
【図９】
2017169198.tif 000011
【図１０】
2017169198.tif 000012
【図１１】
2017169198.tif 000013
【図１２】
2017169198.tif 000014
【図１３】
2017169198.tif 000015
【図１４】
2017169198.tif 000016
【図１５】
2017169198.tif 000017